(57)【要約】【課題】動画ファイルにリンクタグを挿入する処理を自動的に行い動画ファイルをより利用価値の高いファイルへと加工する装置を提供する。【解決手段】動画ファイルとその動画ファイルの内容の関連サイトの情報を受け取るファイル受信手段と、該ファイル受信手段にて受け取った動画ファイルに前記関連サイトの情報をリンクタグとして挿入する動画ファイル加工手段と、該動画ファイル加工手段にて加工された動画ファイルを前記ファイル受信手段への送信元へ返信するファイル返信手段とを有する。【選択図】図１
0003105319.tif 000002
【実用新案登録請求の範囲】
【請求項１】
動画再生機能を有する携帯端末と、
該携帯端末をネットワークを介してインターネットに接続する通信装置と、
該通信装置を通じて前記携帯端末に動画ファイルをダウンロードさせるインターネット上の動画ファイル蓄積サーバと、
該動画ファイル蓄積サーバに蓄積された動画ファイルとその動画ファイルの内容の関連サイトの情報を受け取り、その関連サイトの情報を前記動画ファイルにリンクタグとして挿入して再び前記動画ファイル蓄積サーバに返す動画ファイル加工サーバと
を有する動画ファイル利用システム。
【請求項２】
動画ファイルとその動画ファイルの内容の関連サイトの情報を受け取るファイル受信手段と、
該ファイル受信手段にて受け取った動画ファイルに前記関連サイトの情報をリンクタグとして挿入する動画ファイル加工手段と、
該動画ファイル加工手段にて加工された動画ファイルを前記ファイル受信手段への送信元へ返信するファイル返信手段と
を有する動画ファイル加工サーバ。
【請求項３】
動画ファイルの置かれている場所に関する情報とその動画ファイルの内容の関連サイトの情報を受け取るファイル情報受信手段と、
該ファイル情報受信手段にて受け取った情報に基づいて前記動画ファイルをダウンロードする動画ファイルダウンロード手段と、
該動画ファイルダウンロード手段にて受け取った動画ファイルに前記関連サイトの情報をリンクタグとして挿入する動画ファイル加工手段と、
該動画ファイル加工手段にて加工された動画ファイルを前記ファイル情報受信手段にて受け取った情報に基づいて元置かれていた場所にアップロードする動画ファイルアップロード手段と
を有する動画ファイル加工サーバ。
【考案の詳細な説明】
【技術分野】
【０００１】
本考案は、動画機能を有する携帯端末からインターネット上のサーバにアクセスして動画ファイルをダウンロードして視聴する際に関連サイトにアクセス可能とするために動画ファイルに加工を施す動画ファイル加工サーバ及びそれを用いた動画ファイル利用システムに関するものである。
【背景技術】
【０００２】
近時の携帯端末は、カメラ付きのものが増えて、２０秒から３０秒程度の動画を撮影可能なものも出てきている。そして、インターネット上のサーバに動画ファイルを蓄積し携帯電話からのアクセスによりダウンロード可能とすることも行われてきている。
【０００３】
本実用新案登録出願の時点において、動画を扱える携帯端末が、実用に供されており、インターネット上の動画ファイル蓄積サーバとの間でアップロードやダウンロードが行われるようになってきている。
【０００４】
そして、その動画ファイルに後から音楽を付けたり短いテキストからなる文字を挿入したりすることが可能となっている。
【特許文献１】特開２００４−０８０５５４号公報
【考案の開示】
【考案が解決しようとする課題】
【０００５】
本願の考案者は動画編集ソフトが動画ファイル自身にリンクタグを挿入できることに気付いた。そして、この技術を用いることにより動画ファイルをさらに利用価値の高いものとして使える可能性があることに気付いた。そして、その普及のために専門の動画ファイル加工サーバを設置することが役立つと考えた。本考案の解決しようとする課題は、動画ファイルにリンクタグを挿入する処理を自動的に行い動画ファイルをより利用価値の高いファイルへと加工する装置を提供することにある。
【課題を解決するための手段】
【０００６】
本考案にかかる動画ファイル利用システムは、動画再生機能を有する携帯端末と、該携帯端末をネットワークを介してインターネットに接続する通信装置と、該通信装置を通じて前記携帯端末に動画ファイルをダウンロードさせるインターネット上の動画ファイル蓄積サーバと、該動画ファイル蓄積サーバに蓄積された動画ファイルとその動画ファイルの内容の関連サイトの情報を受け取り、その関連サイトの情報を前記動画ファイルにリンクタグとして挿入して再び前記動画ファイル蓄積サーバに返す動画ファイル加工サーバとを有するものである。
【０００７】
本考案にかかる動画ファイル加工サーバは、動画ファイルとその動画ファイルの内容の関連サイトの情報を受け取るファイル受信手段と、該ファイル受信手段にて受け取った動画ファイルに前記関連サイトの情報をリンクタグとして挿入する動画ファイル加工手段と、該動画ファイル加工手段にて加工された動画ファイルを前記ファイル受信手段への送信元へ返信するファイル返信手段とを有するものである。
【０００８】
請求項３に記載した考案は、動画ファイルの置かれている場所に関する情報とその動画ファイルの内容の関連サイトの情報を受け取るファイル情報受信手段と、該ファイル情報受信手段にて受け取った情報に基づいて前記動画ファイルをダウンロードする動画ファイルダウンロード手段と、該動画ファイルダウンロード手段にて受け取った動画ファイルに前記関連サイトの情報をリンクタグとして挿入する動画ファイル加工手段と、該動画ファイル加工手段にて加工された動画ファイルを前記ファイル情報受信手段にて受け取った情報に基づいて元置かれていた場所にアップロードする動画ファイルアップロード手段とを有する動画ファイル加工サーバである。
【考案の効果】
【０００９】
これまでインターネット上のサイトで動画ファイルをダウンロードさせて動画を提供していたサイトの運営者は、その動画ファイルを本考案にかかる動画ファイル加工サーバに関連サイトに関する情報と共に送り、処理後のファイルを受け取って元の場所に置くだけで（ＨＴＭＬファイルなどの書換えを要せずに）ユーザに対し動画の内容のみならずその関連サイトにジャンプするための情報をも提供できる。
【考案を実施するための最良の形態】
【００１０】
以下、図１から図８までを参照しつつ、本考案の実施形態を説明する。
【００１１】
図１は、本インターネットサイトアクセス方法を説明するためのハードウェア構成図である。携帯端末１０及び１１は、動画再生機能を有する携帯端末であり、それぞれの携帯電話会社のネットワークを介してインターネットに接続する。ここに、携帯端末とは、携帯電話機に代表される端末機であって、今後開発されるであろうさまざまな機種（デジタルカメラ、ラジオ、テレビ、電子手帳、などと融合したもの）をも含む概念である。動画提供サイト３０は、携帯端末１０又は１１を用いてアクセスするユーザに対して動画ファイルをダウンロードさせるサイトでありその動画ファイルは動画蓄積サーバ４０に蓄積されている。動画蓄積サーバ４０に蓄積されている動画ファイルには、リンクタグが挿入されており、その動画内容に関連するサイト（動画内容関連サイト５０）のＵＲＬ情報が埋め込まれている。例えば米国アップル社の提供する「クイックタイム」（米国アップル社の商標）という動画編集・再生ソフトを用いると動画ファイルへのリンクタグの挿入が可能である。なお、動画ファイル内に挿入できるリンクタグは、ＵＲＬのリンクだけではなく、電話番号のリンク、メールアドレスのリンクがある。ＵＲＬのリンクの場合は指定されたＵＲＬのサイトへジャンプする。電話番号のリンクの場合は指定された電話番号に電話をかける。メールのリンクの場合は指定されたメールのアドレスにメールをうつ。以下の説明においてはＵＲＬリンクの場合について述べるが、他のリンクにも同様に応用できる。
【００１２】
図１において動画ファイル加工サーバ２０は、リンクタグを挿入していない動画ファイルを加工してリンクタグを挿入した動画ファイルを生成する処理を実行するサーバであって、望ましくは自動処理を行う。動画提供サイト３０の運営者から動画ファイル及び動画内容関連サイトの情報が動画ファイル加工サーバ２０に送信される。すると動画ファイル加工サーバ２０はその電子メールから動画ファイルと動画内容関連サイトの情報を取り出してリンクタグの挿入処理を実行し出来上がったファイルを送信元に送り返す。それを受け取った動画提供サイトの運営者はその動画ファイルを元あった場所に格納する。するとそれ以降その動画ファイルは関連サイトへのリンクタグを備えたファイルとして機能する。
【００１３】
動画ファイル加工サーバが加工し終えたファイルをメール添付して送り返し動画提供サイトの運営者がウェブ上にアップロードする代わりに、動画ファイル加工サーバがその動画ファイルをアップロードすべき場所に関する情報を取得して自らアップロードすることとする実施例も可能である。
【００１４】
図７及び図８に動画ファイル加工サーバ２０（図７では２００、図８では３００）の詳細を示す。図７では動画ファイル加工サーバ２００はファイル受信手段２１０、動画ファイル加工手段２２０、ファイル返信手段２３０を有し、メール添付などによりファイル受信手段２１０が動画ファイル及び関連サイト情報を取得すると、動画ファイル加工手段２２０はその動画ファイルに適切なリンクタグを挿入して関連サイトへのジャンプを可能ならしめる。そして出来上がったファイルをファイル返信手段２３０により電子メール内に添付して返信する。
図８は、動画ファイル加工サーバ３００が自ら動画ファイルをダウンロードしたりアップロードしたりする実施例を示したものである。図８の実施例においては動画提供サイトからは加工を欲する動画ファイルのある場所（ＵＲＬ）及びリンクさせたい情報（関連サイトのＵＲＬ）を動画ファイル加工サーバ３００に送る。ファイル情報受信手段３４０がその情報を取得し、その情報に基づいて動画ファイル加工サーバ３００内の動画ファイルダウンロード手段３５０は、加工を必要とする動画ファイルをダウンロードする。そして動画ファイル加工手段３６０がその動画ファイルにリンクタグを挿入する。その加工後のファイルを動画ファイルアップロード手段３７０が元の場所にその動画ファイルをアップロードする。するとそれ以降、関連サイトへのリンクが可能となる。
【００１５】
図２から図６は、動画ファイルをダウンロードして携帯端末１０又は１１で再生する際の表示画面を示すハードコピーである。特に図２は、商品やサービスの紹介を動画にて行いその動画を視聴したユーザが購入したいと思うときに購入サイトへとジャンプすることを可能にするリンクタグを前記動画ファイルに挿入することによりその動画の再生の最中またはその動画の再生をし終わった直後にユーザへのリンクを促す表示を行ってそのユーザが所望するときにはその表示をクリックすれば当該購入サイトにジャンプすることを可能にするものである。図２で携帯端末１０又は１１の表示画面１１０全体の大きさよりは小さい枠である動画ファイルの表示枠１２０で動画の表示をするのが通常である。枠が大きすぎるとファイルサイズが大きくなってしまうからである。そしてさらに実際の映像表示枠１３０は、もう少し小さい。動画ファイルの表示枠１２０内であって、映像表示枠１３０以外の部分に関連サイトへのジャンプを促す表示１４０が表示される。図２の例では映像表示枠１３０に商品の説明映像が流れそれを見たユーザが購入を欲する場合には「この商品を購入しますか？」の表示をクリックすることによりその商品の購入サイトへジャンプできる。
【００１６】
図３は、留守宅の防犯セキュリティを高める目的でその家の所有者と警備会社とが契約して家の玄関などに設置したウェブカメラの動画をチェックし不審者の疑いのある場合に家の所有者に動画内容をチェックしてもらって警備員の派遣を要請するか否かを確認するものである。表示画面は図２に示した例とほぼ同様であるが、映像表示枠１３０には当該ユーザの自宅に不審者と思われる人物が近づいてウェブカメラに捕らえられた場合にそのユーザの携帯端末にその映像が送られて、「警備員の急行を要請する」の表示が関連サイトへのジャンプを促す表示１４０に表示されて警備会社への連絡を促す。この場合、緊急を要する判断を促すものであるから動画ファイルに警備会社のサイトへのリンクタグを挿入する処理は必要なサーバを設けることにより自動的にするのが望ましい。
【００１７】
図４は、アンケート調査の実効性を高める目的で予めそのアンケート内容に関する動画を見てもらったうえで質問項目を表示して回答を得るべく動画表示の後にアンケートサイトにリンクするよう構成したものである。図２又は図３に示した表示画面とほぼ同様であるが、この例では一般にアンケート調査が当該事項に対する予備知識が無いために回答してもらえないことに鑑みて動画ファイルにて予備知識を与え回答率を高めようとするものである。
【００１８】
図５は、会社などで社内の役員の決済を得る必要があるが会合を持つほどではなく稟議書を回覧する程度の内容である場合に書類だけではうまく伝わらない内容を動画ファイルにより伝えてそれを見た上で決裁を仰ぐことを想定したものである。一般に会社組織では重要事項を決めるのに取締役会を開催して担当者がプレゼンテーションを行い役員が決裁をする。一方では取締役会にかけるほどの重要度は無いが緊急性があるために稟議書を回して決裁を仰ぐ必要がある場合がある。しかし、紙に書かれた書類を読むより映像を見ることが遥かに分かりやすい場合が多々ある。そこで、この例では動画のプレゼンテーションを見た直後に稟議の決済を仰ぐように構成される。
【００１９】
図６は、ニュース映像を動画ファイルで見たユーザに対し、それに関連するニュース記事をさらに詳細に知りたい場合に関連サイトに飛べるようリンクの表示をするものである。ニュース映像と詳細記述のリンクはすでにウェブ上ではなされてはいるが、この例では動画ファイルそのものに詳細記事へのリンク情報を埋め込んでいるので、たとえそのファイルが単独で扱われた場合でも詳細記事へのリンクを可能にするものである。
【００２０】
上述した動画ファイルへのリンクタグの挿入の仕方としてはその動画ファイルの再生の際、最初から最後までそのリンクの表示をし続けるやり方、映像の表示が終了してからそのリンクの表示をするやり方などがあるがそのどちらの場合でも本発明は適用可能である。
【産業上の利用可能性】
【００２１】
動画ファイル自身に関連サイトへのリンク情報を埋め込むことにより、その動画ファイルが単独で扱われる場合であってもそれを再生しさえすれば関連サイトへのジャンプができる。従って、集客システムへの適用、防犯セキュリティシステムへの適用、アンケート調査への適用、社内稟議システムへの適用、ニュースサイトへの適用が可能である。そして、本考案にかかる動画ファイル加工サーバがあることにより動画ファイルへのリンク挿入が専門知識の無い動画提供サイト運営者にも可能となる。
【図面の簡単な説明】
【００２２】
【図１】本インターネットサイトアクセス方法を説明するためのハードウェア構成図である。
【図２】動画ファイルをダウンロードして携帯端末で再生する際の表示画面を示すハードコピーである（商品購入サイトへのジャンプ）。
【図３】動画ファイルをダウンロードして携帯端末で再生する際の表示画面を示すハードコピーである（警備会社への連絡）。
【図４】動画ファイルをダウンロードして携帯端末で再生する際の表示画面を示すハードコピーである（アンケート調査）。
【図５】動画ファイルをダウンロードして携帯端末で再生する際の表示画面を示すハードコピーである（社内稟議の決済）。
【図６】動画ファイルをダウンロードして携帯端末で再生する際の表示画面を示すハードコピーである（ニュースの詳細記事へのジャンプ）。
【図７】動画ファイル加工サーバが電子メールのやり取りにより自動的にリンクタグの挿入を動画ファイルに施す実施例を示すブロック図である。
【図８】動画ファイル加工サーバが動画ファイルのダウンロード及びアップロードを模する実施例を示すブロック図である。
【符号の説明】
【００２３】
１０、１１  携帯端末
２０、２００、３００  動画ファイル加工サーバ
３０  動画提供サイト
４０  動画蓄積サーバ
５０  動画内容関連サイト
１１０  携帯端末の表示画面
１２０  動画ファイルの表示枠
１３０  実際の映像表示枠
１４０  関連サイトへのジャンプを促す表示
２１０  ファイル受信手段
２２０、３６０  動画ファイル加工手段
２３０  ファイル返信手段
３４０  ファイル情報受信手段
３５０  動画ファイルダウンロード手段
３７０  動画ファイルアップロード手段
【図１】
0003105319.tif 000003
【図２】
0003105319.tif 000004
【図３】
0003105319.tif 000005
【図４】
0003105319.tif 000006
【図５】
0003105319.tif 000007
【図６】
0003105319.tif 000008
【図７】
0003105319.tif 000009
【図８】
0003105319.tif 000010